【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
未現像の状態の動画像データであるＲａｗ動画像データの供給を受けて、前記Ｒａｗ動画像データの目的とするフレームに対する現像パラメータを生成するパラメータ生成手段と、
供給を受けた前記Ｒａｗ動画像データと前記パラメータ生成手段により生成された前記現像パラメータとを関連付けて、所定の記録媒体に記録するように制御する記録制御手段と
を備えることを特徴とする画像処理装置。
【請求項２】
請求項１に記載の画像処理装置であって、
前記パラメータ生成手段は、前記Ｒａｗ動画像データに対して、予め決められた一定間隔毎の飛び飛びのフレームに対して現像パラメータを生成することができるものであることを特徴とする画像処理装置。
【請求項３】
請求項１に記載の画像処理装置であって、
前記パラメータ生成手段は、
供給された前記Ｒａｗ動画像データを検波処理して前記Ｒａｗ動画像データに対して画像処理を施すための評価値である検波データをフレーム単位に生成する検波データ生成部と、
前記検波データ生成手段からの前記検波データに基づいて、前記Ｒａｗ画像データに対する現像パラメータをフレーム単位に生成する現像パラメータ生成部と、
供給された前記Ｒａｗ動画像データと、前記検波データ生成手段からの前記検波データと、前記現像パラメータ生成手段からの前記現像パラメータとの内の１つ以上を解析し、前記Ｒａｗ動画像データによる動画像の変化点における現像パラメータを生成するようにする変化点パラメータ生成部と
を備えることを特徴とする画像処理装置。
【請求項４】
請求項２または請求項３に記載の画像処理装置であって、
前記パラメータ生成手段は、変化頻度の高い現像パラメータと変化頻度の低い現像パラメータとで、現像パラメータの生成頻度、あるいは、現像パラメータの出力頻度を変えることを特徴とする画像処理装置。
【請求項５】
請求項２または請求項３に記載の画像処理装置であって、
前記パラメータ生成手段は、前記Ｒａｗ動画像データの１つのフレームに対して、複数の現像パラメータを生成することができることを特徴とする画像処理装置。
【請求項６】
請求項１に記載の画像処理装置であって、
前記Ｒａｗ動画像データから縮小画像データであるサムネールＲａｗ動画像データを生成する第１のサムネール生成手段と、
前記Ｒａｗ動画像データに対して、所定の段階まで現像処理を行って中間現像動画像データを生成する中間現像動画像データ生成手段と、
前記中間現像動画像データ生成手段により生成された前記中間現像動画像データから縮小画像データであるサムネール中間現像動画像データを生成する第２のサムネール生成手段と、
前記Ｒａｗ動画像データに対して、現像処理を行って現像済みの通常動画像データを生成する通常動画像データ生成手段と、
前記通常動画像データ生成手段により生成された前記通常動画像データから縮小画像データであるサムネール通常動画像データを生成する第３のサムネール生成手段と
の内の１つ以上を備え、
前記記録制御手段は、前記Ｒａｗ動画像データと、前記現像パラメータとに加えて、設けられた前記第１のサムネール生成手段と、前記中間現像動画像データ生成手段と、前記第２のサムネール生成手段と、前記通常動画像データ生成手段と、前記第３のサムネール生成手段との内の設けられている生成手段で生成された動画像データを、前記所定の記録媒体に記録するように制御することを特徴とする画像処理装置。
【請求項７】
請求項１に記載の画像処理装置であって、
供給された前記Ｒａｗ動画像データをデータ圧縮処理する圧縮処理手段を備え、
前記記録制御手段は、前記圧縮処理手段によりデータ圧縮された前記Ｒａｗ動画像データを前記所定の記録媒体に記録することを特徴とする画像処理装置。
【請求項８】
請求項１に記載の画像処理装置であって、
前記記録制御手段は、適用になる前記Ｒａｗ動画像データのフレームまたはフレーム群を特定する情報が付加するようにされた前記現像パラメータを前記所定の記録媒体に記録することを特徴とする画像処理装置。
【請求項９】
請求項１に記載の画像処理装置であって、
前記所定の記録媒体から、前記Ｒａｗ動画像データと前記現像パラメータとを読み出す読み出し手段と、
前記読み出し手段により読み出された前記Ｒａｗ動画像データに対して、前記読み出し手段により読み出された前記現像パラメータを用い、所定の段階まで、あるいは、最終の段階まで現像処理を施す現像処理手段と、
前記現像処理手段により処理された中間現像動画像データあるいは通常現像動画像データを出力する出力手段と
を備えることを特徴とする画像処理装置。
【請求項１０】
請求項２または請求項３に記載の発明の画像処理装置であって、
前記所定の記録媒体から、前記Ｒａｗ動画像データと前記現像パラメータとを読み出す読み出し手段と、
前記読み出し手段により読み出された前記現像パラメータに基づいて、不足する現像パラメータを生成する補間処理手段と、
前記読み出し手段により読み出された前記Ｒａｗ動画像データに対して、前記補間処理手段により補間されて整えられた現像パラメータを用い、所定の段階まで、あるいは、最終の段階まで現像処理を施す現像処理手段と、
前記現像処理手段により処理された中間現像動画像データあるいは通常現像動画像データを出力する出力手段と
を備えることを特徴とする画像処理装置。
【請求項１１】
請求項２または請求項３に記載の発明の画像処理装置であって、
前記所定の記録媒体から、前記Ｒａｗ動画像データと前記現像パラメータとを読み出す読み出し手段と、
前記読み出し手段により読み出された前記現像パラメータに対して、ユーザーからの現像パラメータの追加、削除、変更の指示入力を受け付けて、現像パラメータの編集を行うようにするパラメータ編集手段と、
前記パラメータ編集手段により編集された前記現像パラメータに基づいて、不足する現像パラメータを生成する補間処理手段と、
前記読み出し手段により読み出された前記Ｒａｗ動画像データに対して、前記補間処理手段により補間されて整えられた現像パラメータを用い、所定の段階まで、あるいは、最終の段階まで現像処理を施す現像処理手段と、
前記現像処理手段により処理された中間現像動画像データあるいは通常現像動画像データを出力する出力手段と
を備えることを特徴とする画像処理装置。
【請求項１２】
請求項１に記載の発明の画像処理装置であって、
被写体の動画像を取り込んで、これに応じた未現像の状態の動画像データであるＲａｗ動画像データを出力する撮像素子を備え、
撮像装置として構成されたことを特徴とする画像処理装置。
【請求項１３】
未現像の状態の動画像データであるＲａｗ動画像データと、前記Ｒａｗ画像データに対して生成された現像パラメータとの供給を受けて現像処理する現像装置であって、
前記Ｒａｗ動画像データに対して、前記現像パラメータを用い、所定の段階まで、あるいは、最終の段階まで現像処理を施す現像処理手段と、
前記現像処理手段により処理された中間現像動画像データあるいは通常現像動画像データを出力する出力手段と
を備えることを特徴とする現像装置。
【請求項１４】
請求項１３に記載の現像装置であって、
前記現像パラメータは、前記Ｒａｗ動画像データに対して、予め決められた間隔毎の飛び飛びのフレームに対して、あるいは、前記Ｒａｗ動画像データによる動画像の変化点毎に付加するようにされているものであり、
前記現像パラメータに基づいて、不足する現像パラメータを生成する補間処理手段を備え、
前記現像処理手段は、前記Ｒａｗ動画像データに対して、前記補間処理手段で補間処理された前記現像パラメータを用い、所定の段階まで、あるいは、最終の段階まで現像処理を施すものである
ことを特徴とする現像装置。
【請求項１５】
請求項１３に記載の現像装置であって、
前記現像パラメータは、前記Ｒａｗ動画像データに対して、予め決められた間隔毎の飛び飛びのフレームに対して、あるいは、前記Ｒａｗ動画像データによる動画像の変化点毎に付加するようにされているものであり、
前記現像パラメータに対して、ユーザーからの現像パラメータの追加、削除、変更の指示入力を受け付けて、現像パラメータの編集を行うようにするパラメータ編集手段と、
前記パラメータ編集手段により編集された前記現像パラメータに基づいて、不足する現像パラメータを生成する補間処理手段と
を備え、
前記現像処理手段は、前記Ｒａｗ動画像データに対して、前記補間処理手段で補間処理された前記現像パラメータを用い、所定の段階まで、あるいは、最終の段階まで現像処理を施すものである
ことを特徴とする現像装置。
【請求項１６】
画像データを所定の記録媒体に記録する画像処理装置において用いられる画像処理方法であって、
未現像の状態の動画像データであるＲａｗ動画像データの供給を受けて、前記Ｒａｗ動画像データに対する現像パラメータを生成するパラメータ生成工程と、
供給を受けた前記Ｒａｗ動画像データと前記パラメータ生成工程において生成した前記現像パラメータとを関連付けて、所定の記録媒体に記録するように制御する記録制御工程と
を前記画像処理装置が実行することを特徴とする画像処理方法。
【請求項１７】
未現像の状態の動画像データであるＲａｗ動画像データと、前記Ｒａｗ画像データに対して生成された現像パラメータとの供給を受けて現像処理する現像装置で用いられる現像方法であって、
前記Ｒａｗ動画像データに対して、前記現像パラメータを用い、所定の段階まで、あるいは、最終の段階まで現像処理を施す現像処理工程と、
前記現像処理工程において処理した中間現像動画像データあるいは通常現像動画像データを出力する出力工程と
を前記現像装置が実行することを特徴とする現像方法。
【請求項１８】
画像データを所定の記録媒体に記録する画像処理装置に搭載されたコンピュータで実行される画像処理プログラムであって、
未現像の状態の動画像データであるＲａｗ動画像データの供給を受けて、前記Ｒａｗ動画像データに対する現像パラメータを生成するパラメータ生成ステップと、
供給を受けた前記Ｒａｗ動画像データと前記パラメータ生成ステップにおいて生成した前記現像パラメータとを関連付けて、所定の記録媒体に記録するように制御する記録制御ステップと
を前記画像処理装置の前記コンピュータが実行することを特徴とする画像処理プログラム。
【請求項１９】
未現像の状態の動画像データであるＲａｗ動画像データと、前記Ｒａｗ画像データに対して生成された現像パラメータとの供給を受けて現像処理する現像装置に搭載されたコンピュータで実行される現像プログラムであって、
前記Ｒａｗ動画像データに対して、前記現像パラメータを用い、所定の段階まで、あるいは、最終の段階まで現像処理を施す現像処理ステップと、
前記現像処理ステップにおいて処理した中間現像動画像データあるいは通常現像動画像データを出力する出力ステップと
を前記現像装置の前記コンピュータが実行することを特徴とする現像プログラム。
【手続補正２】
【補正対象書類名】明細書
【補正対象項目名】発明の名称
【補正方法】変更
【補正の内容】
【発明の名称】画像処理装置、現像装置、画像処理方法、現像方法、画像処理プログラム、および現像プログラム
【手続補正３】
【補正対象書類名】明細書
【補正対象項目名】０００１
【補正方法】変更
【補正の内容】
【０００１】
この発明は、未現像の状態の動画像データであるいわゆるＲａｗ動画像データを処理する装置、方法、プログラムに関する。